(57)【要約】【課題】１つの器具によって足裏、足指間及び足本体の洗浄を行うのに適した小型の器具を提供すること。【解決手段】５本の指の各々を挿入する５つの指部を有し、中央部に研磨材を付したタオル生地の手袋を提供する。研磨材によって足裏を擦洗でき、指部によって足指間を洗浄できる。更に、指部の側面に表面がタオルよりも低摩擦の柔軟体を付して足指間の洗浄を容易にする。柔軟体を人差指部、中指部、薬指部及び小指部に付すれば、５本の足指の４つの間を同時に洗浄することができる。【選択図】図４
2014108317.tif 000002
【特許請求の範囲】
【請求項１】
タオル生地の手袋であって、
５本の指の各々を挿入する５つの指部を有し、
中央部に、研磨材を付したことを特徴とする、足洗浄用手袋。
【請求項２】
前記研磨材が、手掌部分に付されていることを特徴とする、請求項１に記載の足洗浄用手袋。
【請求項３】
前記研磨材が、腕部に付されていることを特徴とする、請求項１に記載の足洗浄用手袋。
【請求項４】
前記研磨材が、中央部の小指側の側面に付されていることを特徴とする、請求項１に記載の足洗浄用手袋。
【請求項５】
少なくとも１つの指部の側面に、その表面がタオルよりも低摩擦の柔軟体を付したものであることを特徴とする、請求項１〜４のいずれか１項に記載の足洗浄用手袋。
【請求項６】
前記側面の各々について、前記柔軟体が指部の長さ方向に２個以上並べて付され、該柔軟体の指部の長さ方向の長さが５ｍｍ以下であり、隣接する該柔軟体の間隔が５ｍｍ以下であることを特徴とする、請求項５に記載の足洗浄用手袋。
【請求項７】
前記側面の各々について、１つの前記柔軟体が付され、該柔軟体の厚みが指部の長さ方向にわたって変動し、
前記変動は指部の長さ方向１０ｍｍについて１ｍｍ以上の変動であることを特徴とする、請求項６に記載の足洗浄用手袋。
【請求項８】
前記柔軟体が、スポンジ製であることを特徴とする、請求項５〜７のいずれか１項に記載の足洗浄用手袋。
【請求項９】
前記柔軟体が少なくとも１本の指部の手掌面側にも付されていることを特徴とする、請求項５〜８のいずれか１項に記載の足洗浄用手袋。
【請求項１０】
前記柔軟体が、人差指部、中指部、薬指部及び小指部に付されていることを特徴とする、請求項５〜９のいずれか１項に記載の足洗浄用手袋。
【発明の詳細な説明】
【技術分野】
【０００１】
本発明は、足を洗浄するに適した、足洗浄用手袋に関するものである。
【背景技術】
【０００２】
タオル生地の手袋を用いて身体各部を洗浄することが知られている。例えば、特許文献１には、石鹸の泡立ちがよく身体の洗浄に適した手袋が開示されている。
【０００３】
しかし、足の洗浄のためには、タオル生地の手袋では不十分である。軽石を用いて擦洗するかのように足裏（特にかかとの部分）を洗浄することができず、また、手指を挿入し垢を掻き出すように足指間を洗浄することができない。
【０００４】
足の洗浄に利用する器具としては、特許文献２に足裏洗浄マットが開示され、特許文献３に足指用の掃除具が開示されている。
【０００５】
しかし、特許文献２の足裏洗浄マットは相当の大きさを有し、特許文献３の足指用の掃除具は折りたたむことができず、浴室が狭い場合にはそこに備えることには不便である。
【０００６】
また、１つの器具によって足裏、足指間及び足本体（足のうち足裏、足指間以外の部分を「足本体」と呼ぶ。本明細書において以下同じ）を洗浄できるものではない。
【先行技術文献】
【特許文献】
【０００７】
【特許文献１】特開２００１−２４５８１７号公報
【特許文献２】特開２００３−３１０４７３号公報
【特許文献３】実用新案登録第３１６５４０１号公報
【発明の概要】
【発明が解決しようとする課題】
【０００８】
解決しようとする課題は、１つの器具によって足裏、足指間及び足本体の洗浄を行うのに適した小型の器具を提供することである。
【課題を解決するための手段】
【０００９】
（手袋各部の名称の定義）
本明細書において、手袋の各部の名称を以下のように定義する。図１は、手袋の各部の名称を示す図である。手袋１は、指付け根線１１及び手首部屈曲線１２によって３つの部に分割され、指先側から順に、「指部」、「中央部」、「腕部」と呼ぶ。手袋の部分としては、５本の指に対応する５つの指部１３がある。中央部の表面中央を、「手掌部分」と呼ぶ。
指付け根線１１は、手袋の形状によって定まる。手首部屈曲線１２は、使用者の橈骨手根関節の位置によって定まるものであり、使用者に依存してその位置が若干変動する。しかし、その変動は図において手首部屈曲線１２の上下に細線で示した程度までに限られ、これら２本の細線に挟まれた部分以外の部分については、中央部であるか腕部であるかは明白である。
なお、腕部は特に必要である場合を除き、必ずしも設けなくてもよい。
【００１０】
本発明の足洗浄用手袋は、
タオル生地の手袋であって、
５本の指の各々を挿入する５つの指部を有し、
中央部に、研磨材を付したことを特徴とする。
【００１１】
ここで、「研磨材」とは、軽石、布やすり、鮫の皮、その他皮膚を擦って角質を摘出することのできる素材を言う。
中央部に付された研磨材を軽石のように用いて、足裏を洗浄することができる。
指が１本毎に別々の指部に挿入されるので、１本の指によって足指間を洗浄することができる。
【００１２】
本発明の足洗浄用手袋は、
前記研磨材が、手掌部分、腕部又は中央部の小指側の側面に付されていることを特徴とする。
【００１３】
研磨材をどこに付するかによって、使用者の好みに合わせた使い方が実現される。
手掌部分に付したものは、扱いやすい手掌部分によって足裏を容易に洗浄することができる。
腕部又は中央部の小指側の側面に付したものは、手掌部分が全てタオル生地となるので、足本体の洗浄に手掌部分を用いることができる。また、体の足以外の部位（たとえば顔）の洗浄にも用いることができる。
【００１４】
本発明の足洗浄用手袋は、
少なくとも１つの指部の側面に、その表面がタオルよりも低摩擦の柔軟体を付したものであることを特徴とする。
【００１５】
足指間の皮膚は、摩擦耐性が低い。足指間の洗浄は指部、特にその側面、によって行われるので、足指間の皮膚に当たる部分にタオルよりも低摩擦の柔軟体を付して皮膚の損傷を予防する。
図２は、足指間の清浄状態を示す図である。２本の足指４の間に指部１３を挿入して動かすことで、柔軟体３によって足指間を擦って清浄することができる。
【００１６】
本発明の足洗浄用手袋は、
前記側面の各々について、前記柔軟体が指部の長さ方向に２個以上並べて付され、該柔軟体の指部の長さ方向の長さが５ｍｍ以下であり、隣接する該柔軟体の間隔が５ｍｍ以下であることを特徴とする。
【００１７】
低摩擦の柔軟体によって足指間を洗浄するためには、柔軟体と皮膚との間に適宜な空隙があることが好ましい。石鹸の泡立ちを高めるための空気を流入させる効果と、皮膚表面の垢を擦り取る効果とを得るためである。
柔軟体を一様に付さずに柔軟体のない部分を設けることによって、かかる効果を得ることができる。
なお、柔軟体をブラシのような毛体としてもよい。
【００１８】
本発明の足洗浄用手袋は、
前記側面の各々について、１つの前記柔軟体が付され、該柔軟体の厚みが指部の長さ方向にわたって変動し、
前記変動は指部の長さ方向１０ｍｍについて１ｍｍ以上の変動であることを特徴とする。
【００１９】
柔軟体のない部分を設けずとも、柔軟体自身の厚みの変動によって柔軟体と皮膚との間に適宜な空隙を設けることができる。
【００２０】
本発明の足洗浄用手袋は、
前記柔軟体が、スポンジ製であることを特徴とする。
【００２１】
柔軟体をスポンジ製とすることによっても、石鹸の泡立ちを高めるための空気を流入させる効果と、皮膚表面の垢を擦り取る効果とを得ることができる。
【００２２】
本発明の足洗浄用手袋は、
前記柔軟体が少なくとも１本の指部の手掌面側にも付されていることを特徴とする。
【００２３】
図３は、足指間の清浄状態を示す詳細図である。足指間で清浄したい部分は、足指側面４１の他に足指又４２もある。柔軟体３により足指側面４１が洗浄され、指部の手掌面側に付された追加の柔軟体３ａにより足指又４２が洗浄される。
【００２４】
本発明の足洗浄用手袋は、
前記柔軟体が、人差指部、中指部、薬指部及び小指部に付されていることを特徴とする。
【００２５】
柔軟体を人差指部、中指部、薬指部及び小指部に設ければ、５本の足指の４つの間を同時に洗浄することができる。
【発明の効果】
【００２６】
１つの器具によって足裏及び足指間を含む足の洗浄を行うのに適した小型の器具が提供される。
【図面の簡単な説明】
【００２７】
【図１】図１は、手袋の各部の名称を示す図である。
【図２】図２は、足指間の清浄状態を示す図である。
【図３】図３は、足指間の清浄状態を示す詳細図である。
【図４】図４は、足洗浄用手袋を示す図である。（実施例１）
【図５】図５は、柔軟体を示す詳細図である。（実施例１）
【図６】図６は、足洗浄用手袋を示す図である。（実施例２）
【図７】図７は、柔軟体の拡大図である。（実施例２）
【発明を実施するための形態】
【００２８】
以下、本発明の実施例を示す。研磨材及び柔軟体の材質及び位置には各種のバリエーションがあり、本発明の技術的範囲は実施例に限定されるものではない。
【実施例１】
【００２９】
図４は、足洗浄用手袋を示す図である。図は足洗浄用手袋を手掌側から見たものである。
タオル生地の足洗浄用手袋１において、手掌部分に研磨材部２が付され、指部に柔軟体３が付されている。
なお、足洗浄用手袋１の手甲側（図示しない）には、研磨材２が付されていない。
【００３０】
タオル生地は、いわゆる「垢すり」生地である。足本体の垢を効率的に掻き取ることができる。
【００３１】
研磨材２は、鮫の皮である。手掌部分は手指の動きによって湾曲するので、可撓性をもった素材を用いることが好ましい。
【００３２】
柔軟体３は、発泡樹脂製である。タオルよりも低摩擦のものであり、摩擦耐性の低い足指間の皮膚を洗浄するのに適している。
【００３３】
図５は、柔軟体を示す詳細図である。上側は図１のＡ方向から見た図、下側は図１のＢ方向から見た図である。指部１３のうち人差指部、中指部、薬指部及び小指部の側面に２列の柔軟体３が付され足指側面を洗浄する。指部１３の手掌面側に追加の柔軟体３ａが付され足指又を洗浄する。
【００３４】
柔軟体３及び追加の柔軟体３ａは、指部の長さ方向に並べて付されている。１つの柔軟体は４ｍｍ角の略正方形形状であり、隣接する柔軟体の間隔は３ｍｍである。隣接する柔軟体の間の空隙によって石鹸の泡立ちを高めるための空気を流入させる効果がある。柔軟体の正方形形状の辺部分には皮膚表面の垢を擦り取る効果がある。
【００３５】
なお、柔軟体の形状は正方形形状でなくてもよい。例えば細長い多数の柔軟体をブラシ状に配してもよい。
【実施例２】
【００３６】
図６は、足洗浄用手袋を示す図である。図は足洗浄用手袋を手掌側から見た図である。
タオル生地の足洗浄用手袋１において、腕部分に研磨材２が付され、指部に柔軟体３が付されている。
【００３７】
研磨材２は、軽石である。腕部分に付する場合には可撓性のない軽石でも問題ない。
【００３８】
柔軟体３は、指部の側面にのみ付されている。手掌面側には付されていない。研磨材２の位置と合わせて考えると、手掌面側及び指部の手掌面側は全てタオル生地が露出している。タオル生地によって足本体を効率的に洗浄することができる。また、体の足以外の部位の洗浄もできる。
【００３９】
図７は、柔軟体の拡大図である。柔軟体３は、スポンジ製であり、その厚みが、指部の長さ方向７ｍｍについて１．２ｍｍの変動を持つ。これにより、柔軟体と皮膚との間に適宜な空隙があり、石鹸の泡立ちを高めるための空気を流入させる効果と、皮膚表面の垢を擦り取る効果とがある。
【００４０】
研磨材２は、腕部でなく、中央部の小指側の側面２ａに付されていてもよい。手掌面側及び指部の手掌面側は全てタオル生地が露出している点は同様である。
【００４１】
本実施例においては、研磨材２が付された位置によって、右手に装着した足洗浄用手袋１では左足裏の洗浄が容易であり、左手に装着した足洗浄用手袋１では右足裏の洗浄が容易である可能性がある。かかる場合には、左右両方の手に足洗浄用手袋１を装着すればよい。
【産業上の利用可能性】
【００４２】
１つの器具によって足裏、足指間及び足本体の洗浄を行うのに適した小型の器具であり、多くの個人及び浴室用具生産業者による利用が考えられる。
【符号の説明】
【００４３】
１  足洗浄用手袋
２  研磨材
３  柔軟体
【図１】
2014108317.tif 000003
【図２】
2014108317.tif 000004
【図３】
2014108317.tif 000005
【図４】
2014108317.tif 000006
【図５】
2014108317.tif 000007
【図６】
2014108317.tif 000008
【図７】
2014108317.tif 000009